(57)【要約】【課題】装置を大型化することなく、送風ファン等で発生した振動により筐体が共振しないようにして、騒音源にならない静かな内視鏡用光源装置を提供すること。【解決手段】内視鏡に供給する照明光を発生させるための光源ランプ６が筐体１内に内蔵され、光源ランプ６を冷却する冷却風を流すための送風ファン１２が筐体１の床壁１０に取り付けられた構成の内視鏡用光源装置において、筐体１の床壁１０を、間隔をあけて平行に配置した二枚の床板材１０ａ，１０ｂの間に振動吸収部材１０ｃ，１０ｃ′を挟み込んだ構成にした。【選択図】      図１
2006296699.tif 000002
【特許請求の範囲】
【請求項１】
内視鏡に供給する照明光を発生させるための光源ランプが筐体内に内蔵され、上記光源ランプを冷却する冷却風を流すための送風ファンが上記筐体の床壁に取り付けられた構成の内視鏡用光源装置において、
上記筐体の床壁を、間隔をあけて平行に配置した二枚の床板材の間に振動吸収部材を挟み込んだ構成にしたことを特徴とする内視鏡用光源装置。
【請求項２】
上記振動吸収部材が粘弾性樹脂である請求項１記載の内視鏡用光源装置。
【請求項３】
上記振動吸収部材がゴム材である請求項１記載の内視鏡用光源装置。
【請求項４】
上記筐体の床壁以外の壁部分にも、二枚の板材の間に振動吸収部材が挟み込まれた構成が用いられている請求項１、２又は３記載の内視鏡用光源装置。
【請求項５】
上記筐体の全ての壁部分に、二枚の板材の間に振動吸収部材が挟み込まれた構成が用いられている請求項４記載の内視鏡用光源装置。
【発明の詳細な説明】
【技術分野】
【０００１】
この発明は内視鏡用光源装置に関する。
【背景技術】
【０００２】
内視鏡用光源装置は一般に、内視鏡に供給する照明光を発生させるための光源ランプが筐体内に内蔵され、その光源ランプを冷却する冷却風を流すための送風ファン等が筐体の床壁に取り付けられた構成になっている（例えば、特許文献１）。
【特許文献１】特開２０００−１０２５０４
【発明の開示】
【発明が解決しようとする課題】
【０００３】
内視鏡検査が行われる検査室内はできるだけ静かな環境が求められるが、光源装置は内視鏡検査を受ける患者の頭部の近くに置かれる場合が多いので、患者や術者にとって騒音源になり易い機材の一つである。
【０００４】
しかし従来の内視鏡用光源装置においては、例えば図６に示されるように、光源装置の筐体９０を構成する床壁９１が一枚の金属板で構成されていて、そこに送風ファン９２等が単純にビス止め固定されていたので、送風ファン９２等で発生した振動により筐体９０が共振してそれが騒音として感じられる場合があった。９３は光源ランプである。
【０００５】
そこで、送風ファン等で発生した振動により筐体が共振しないようにすることが望まれるが、そのようにするために光源装置が大型化してしまうと使用環境によっては著しく使い難いものになってしまう。
【０００６】
そこで本発明は、装置を大型化することなく、送風ファン等で発生した振動により筐体が共振しないようにして、騒音源にならない静かな内視鏡用光源装置を提供することを目的とする。
【課題を解決するための手段】
【０００７】
上記の目的を達成するため、本発明の内視鏡用光源装置は、内視鏡に供給する照明光を発生させるための光源ランプが筐体内に内蔵され、光源ランプを冷却する冷却風を流すための送風ファンが筐体の床壁に取り付けられた構成の内視鏡用光源装置において、筐体の床壁を、間隔をあけて平行に配置した二枚の床板材の間に振動吸収部材を挟み込んだ構成にしたものである。
【０００８】
なお、振動吸収部材が粘弾性樹脂であってもよく、或いはゴム材等であってもよい。
また、筐体の床壁以外の壁部分にも、二枚の板材の間に振動吸収部材が挟み込まれた構成が用いられていてもよく、筐体の全ての壁部分をそのような構成にすれば制振による防音効果が最も高まる。
【発明の効果】
【０００９】
本発明によれば、送風ファン等が取り付けられた筐体の床壁を、間隔をあけて平行に配置した二枚の床板材の間に振動吸収部材を挟み込んだ構成にしたことにより、装置を大型化することなく、送風ファン等で発生した振動により筐体が共振しないようになり、光源装置が静かで騒音源にならなくなる。
【発明を実施するための最良の形態】
【００１０】
内視鏡に供給する照明光を発生させるための光源ランプが筐体内に内蔵され、光源ランプを冷却する冷却風を流すための送風ファンが筐体の床壁に取り付けられた構成の内視鏡用光源装置において、筐体の床壁を、間隔をあけて平行に配置した二枚の床板材の間に振動吸収部材を挟み込んだ構成にする。
【実施例】
【００１１】
図面を参照して本発明の実施例を説明する。
図２は内視鏡用光源装置の外観を示しており、光源装置は直方体状の筐体１で囲まれていて、そのフロントパネル２には、図示されていない内視鏡のライトガイドコネクタと信号コネクタとが着脱自在に差し込み接続されるライトガイドコネクタ受け３と信号コネクタ受け４、及び各種スイッチとディスプレイ等が配置されている。５は、筐体１の側面部に開閉自在に設けられたランプ交換扉である。
【００１２】
図３は、内視鏡用光源装置の筐体１で囲まれた空間内の構成を略示する平面断面図であり、ランプ交換扉５の内側位置には、図示されていない内視鏡のライトガイドに供給する照明光を発生させる光源ランプ６が、一対のヒートシンク７に取り付けられて風洞９の入口部に配置されている。ヒートシンク７のベース７ａと風洞９は各々、筐体１の床壁１０の上面部分にビス止め固定されている。
【００１３】
風洞９の出口部分には、光源ランプ６を冷却する冷却風を風洞９内に流すための送風ファン１２が配置されている。送風ファン１２は直接的には風洞９に対してビス止め固定されており、風洞９を介して床壁１０に取り付けられた状態になっている。
【００１４】
１３は、図示されていない内視鏡の送気管路や送水タンクに加圧空気を送るための送気ポンプであり、カートリッジ式の空気フィルタ１４を通過した空気を加圧して排気口１５に送り出すようになっている。送気ポンプ１３も、床壁１０の上面部分にビス止め固定されている。１７は、床壁１０の裏面部分に取り付けられた足部材である。
【００１５】
図１は内視鏡用光源装置の部分側面断面図であり、この実施例の床壁１０は、間隔をあけて平行に配置された二枚の例えば鋼板材からなる床板材１０ａ，１０ｂの間に、例えばアクリル樹脂系の粘弾性樹脂１０ｃ（振動吸収部材）が挟み込まれた構成になっている。粘弾性樹脂１０ｃの厚みは例えば１〜３ｍｍ程度の範囲であり、光源装置の大きさに実用上全く影響を与えない程度である。
【００１６】
二枚の床板材１０ａ，１０ｂは、外側の床板材１０ｂに適宜の間隔でかしめ付けられて立設された複数の金属製スタッド１８に内側の床板材１０ａ側から締め付けられたビス１９により連結されており、それによって二枚の床板材１０ａ，１０ｂの間に粘弾性樹脂１０ｃが圧迫された状態に挟み付けられている。
【００１７】
粘弾性樹脂１０ｃは、振動を受けるといわゆるずり変形により振動エネルギーを熱エネルギーに変換することで制振効果を発揮する特性を有している。したがって、送風ファン１２や送気ポンプ１３で発生した振動が内側の床板材１０ａに伝わっても、その振動が粘弾性樹脂１０ｃにより大幅に減衰されてしまうので筐体１が共振せず、筐体１の共振による騒音が発生しない。
【００１８】
図４は、本発明の第２の実施例の内視鏡用光源装置の部分側面断面図であり、第１の実施例の粘弾性樹脂１０ｃに変えて薄板状に形成されたゴム材１０ｃ′（振動吸収部材）を床板材１０ａ，１０ｂの間に圧迫した状態に挟み込んだものである。
【００１９】
他の構成は第１の実施例と同じであり、このように構成しても、送風ファン１２や送気ポンプ１３で発生した振動をゴム材１０ｃ′で吸収、減衰させて、筐体１の共振を大幅に抑制することができる。
【００２０】
図５は、本発明の第３の実施例の内視鏡用光源装置の部分側面断面図であり、第１の実施例の構成に加えて、筐体１を構成している側壁２０も、床壁１０と同様に、間隔をあけて平行に配置された二枚の例えば鋼板材からなる側板材２０ａ，２０ｂの間に粘弾性樹脂２０ｃ等の振動吸収部材を挟み込んだ構成にしたものである。      
【００２１】
このように構成することにより、筐体１全体の共振をさらに低減させることができ、筐体１の全ての壁部分をそのような構成すれば、効果が最も高まる。
【図面の簡単な説明】
【００２２】
【図１】本発明の第１の実施例の内視鏡用光源装置の部分側面断面図である。
【図２】本発明の第１の実施例の内視鏡用光源装置の外観斜視図である。
【図３】本発明の第１の実施例の内視鏡用光源装置の内部構成を示す平面断面図である。
【図４】本発明の第２の実施例の内視鏡用光源装置の部分側面断面図である。
【図５】本発明の第３の実施例の内視鏡用光源装置の部分側面断面図である。
【図６】従来の内視鏡用光源装置の部分側面断面図である。
【符号の説明】
【００２３】
１  筐体
６  光源ランプ
１０  床壁
１０ａ，１０ｂ  床板材
１０ｃ  粘弾性樹脂（振動吸収部材）
１０ｃ′  ゴム材（振動吸収部材）
１２  送風ファン
１３  送気ポンプ
２０  側壁
２０ａ，２０ｂ  側板材
２０ｃ  粘弾性樹脂（振動吸収部材）
【図１】
2006296699.tif 000003
【図２】
2006296699.tif 000004
【図３】
2006296699.tif 000005
【図４】
2006296699.tif 000006
【図５】
2006296699.tif 000007
【図６】
2006296699.tif 000008